(57)【特許請求の範囲】
【請求項１】
屋根に設けられた開閉機能を有する排気手段、土壌面の上方に位置し土壌面にほぼ平行にある暖冷気分離用カーテン、外気導入用ファン、外気濾過用フィルター、出入り用暗室および水封式排水手段とを備えていることを特徴とする無農薬用グリーンハウス。
【請求項２】
排気手段が開閉用ダンパーを付帯する天窓である請求項１に記載の無農薬用グリーンハウス。
【請求項３】
出入り用暗室が北側壁面に設けられている請求項１または２に記載の無農薬用グリーンハウス。
【請求項４】
請求項１〜３の何れか１項に記載の無農薬用グリーンハウスの換気方法において、該グリーンハウス内に、外気導入用ファンを用いて、外気濾過用フィルターを通して病害虫を除去した清浄な外気を送り込み、該ハウス内を常に正圧に保ちながら排気手段の開閉を行うことを特徴とする無農薬用グリーンハウスの換気方法。
【発明の詳細な説明】
【０００１】
【発明の属する技術分野】
本発明は、無農薬農作物を栽培するグリーンハウスに関し、さらに詳しくは該ハウスから外部へ通じる全ての経路にバリアーを設けて病害虫の室内への侵入を阻止する無農薬グリーンハウスとその換気方法に関する。
【０００２】
【従来の技術】
近年、人々の健康志向が昂まり、食生活においては無農薬による農作物の要求が強く、今後益々、この要求は強くなる傾向にある。一方、農作物の生産は、地域、天候、季節、土壌および連作などによって左右され、程度の差はあるが無農薬で恒常的に確実に農産物を生産することは不可能であり、特に、高温多湿な気候の日本では、無農薬栽培は困難と云われ続けられてきた。
【０００３】
このような中で閉鎖型人工光利用植物栽培システムは農作物の無農薬栽培を可能とするものであるが、設備費および管理費などで生産コストが非常に高くなり、一般的農業技術としての普及は阻まれており、将来的にも生産する品種は限られたものとならざるを得ない。このことから、太陽光を利用したエアードーム型ハウスや通常の温室での無農薬農作物が期待されている。
【０００４】
しかしながら、エアードーム型ハウスは外気を封入して形状を保つ自然排気であり、温度調節が難しく、特に夏場の高温時には農産物の生産は難しい。また、温室設計による通常のハウスは、室内の温度上昇を防ぐ手段として、換気量を如何に多くするかに配慮されて、側窓や天窓が設けられて外部への開口部は広くなっており、該開口部の開閉は手動または自動により行われている。しかし、この開口部を広くすることは、取りも直さず、害虫や雑菌が付着した土埃などが該開口部から自由に入り込み、外界と同じ病害虫条件となることを意味し、しかも、換気するのに排気ファンを用いるときには、害虫や雑菌が付着した土埃などが吸引され、積極的に室内に取り込む形となっている。
【０００５】
このことは、ハウス内の過密な植栽と相まって、オンシツコナジラミ、アブラムシ、ヨトウムシなどの有害生物、Ｐｈｙｔｏｐｈｔｈｏｒａ、Ｐｙｔｈｉｕｍ、Ｆｕｓａｒｉｕｍおよびその他の有害微生物が発生・増殖しやすい環境を形成することになり、殺菌剤や殺虫剤などの農薬散布をしない限り、販売可能な農作物は得られないと云われている。なお、開口部からの病害虫の侵入を防止するために、該開口部を寒冷紗などで覆う方法もあるが、開口部が広く、寒冷紗などのセットやこれに付着する塵埃除去や張り替えなどの管理費が大変であった。
【０００６】
また、上記通常のハウスの出入り口は該ハウス妻面にあり、病害虫対策が取られていなく、作業員、農機具およびその他の物品の出入りに伴い、それらに付着してハウス内に持ち込まれる病害虫などについても同様に問題視される課題であった。さらに、一般に、通常のハウスには排水溝が設けられているが、ここから侵入する害虫や小動物が持ち込む病害虫も問題視されていた。
【０００７】
【発明が解決しようとする課題】
従って、本発明の目的は、上記事情に鑑み、開口部を天窓のみとして少なくし、外界の害虫や雑菌が付着した土埃などが、開口部から入り込むことがなく、作業員、農機具およびその他の物品の出入りに伴い病害虫がそれらに付着して持ち込まれず、また、病害虫の侵入やそれらを持ち込む小動物の排水溝からの侵入を阻止し、殺菌剤や殺虫剤などの農薬散布を施さなくても農作物が得られる無農薬用グリーンハウスを提供することである。
また、本発明の目的は、病害虫が侵入しない無農薬用グリーンハウスの換気方法を提供することである。
【０００８】
【課題を解決するための手段】
上記目的は、以下の本発明によって達成される。すなわち、本発明は、屋根に設けられた開閉機能を有する排気手段、土壌面の上方に位置し土壌面にほぼ平行にある暖冷気分離用カーテン、外気導入用ファン、外気濾過用フィルター、出入り用暗室および水封式排水手段とを備えていることを特徴とする無農薬用グリーンハウスを提供する。
【０００９】
また、本発明は、上記本発明の無農薬用グリーンハウスの換気方法において、該グリーンハウス内に、外気導入用ファンを用いて、外気濾過用フィルターを通して病害虫を除去した清浄な外気を送り込み、該ハウス内を常に正圧に保ちながら排気手段の開閉を行うことを特徴とする無農薬用グリーンハウスの換気方法を提供する。
【００１０】
本発明者は、上記した従来技術の問題点を解消すべく鋭意検討を行った結果、栽培用のハウスから外部へ通じる全ての経路にバリアーを設け、該ハウス内に、フィルターを通して病害虫を除いた清浄な外気を送り込み、該ハウス内を常に正圧に保ちながら屋根に設けた開口手段を開閉して換気すると、開口部を少なくでき、病害虫の室内への侵入を阻止できるとの知見を得て本発明に至った。
【００１１】
【発明の実施の形態】
次に、発明の実施の形態を挙げて本発明をさらに詳細に説明する。本発明の無農薬用グリーンハウス（以下、グリーンハウスという）は、本体が木製、鋼製、アルミ製或いは樹脂製からなる屋根の形状をドーム型或いは家形などにした駆体に、植物にとって必要な光合成に支障のない透明な或いは支障のない色に着色された材質、例えば、ガラス、硬質プラスチックおよびプラスチックフィルムなどが取り付けられて密閉または密閉に近い構造になっており、該本体に、屋根頂部には開閉機能を有する排気手段、暖冷気分離用カーテン、ダクト、外気導入用ファン、外気濾過用フィルター、出入り用暗室および水封式排水設備とが設置された構造となっている。
【００１２】
なお、グリーンハウスには、温度計或いは外気との差圧を監視する差圧計などの計器が適宜必要に応じて取り付けられており、また、散水装置や室温上昇用の温風吹き込み装置などの通常用いられる付属装置が必要に応じて設置されている。
【００１３】
屋根に設けられる開閉機能を有する排気手段は、屋根の頂部に取り付けられ、グリーンハウス内の外部への排気が効率よく行われるように配慮され、その開口形状は、排気が効率よく行われれば帯状または円形などを問わず自由に設計できる。そして、その開口部に寒冷紗などのメッシュ状の網を設けると、外部からの害虫の侵入を阻止できる。また、開閉機能としては、スライド式或いは一辺または一ケ所を支点として開閉するダンパー式などが挙げられ、状況に応じて適宜選択して採用される。なお、排気手段の開閉の程度はグリーンハウス内の温度や正圧などの状況によって調整できる。
【００１４】
本発明のグリーンハウスを構成する暖冷気分離用カーテンは、栽培する植物の上方部に、好ましくは上方にある横梁に近在してほぼ平行に、栽培する植物の範囲全般に渡って設けられる天井幕である。そして、暖冷気分離用カーテンは害虫を通さない通気孔が暖気の流通を阻害しない程度に多数設けられた植物の光合成に支障を及ぼさない透明な或いは着色されたものからなっている。その素材には、例えば、プラスチックフィルムおよび硬質プラスチックなどが挙げられる。また、該分離用カーテンには、植物の光合成に支障のないメッシュ状のものも使用できる。
【００１５】
天井幕となる暖冷気分離用カーテンは、グリーンハウス内の温度が植物の栽培適温を越えたときに、暖気を該分離用カーテンの通気孔から該分離用カーテンの裏側になる天井裏に上昇させ、ハウス内の下部より導入される外部の冷気とハウス内の暖気とを分離するので、グリーンハウス内を、植物栽培に適した温度に調整することが容易になる。また、暖気のみが天井裏に集められ外部へ排出されるので、ハウス内の換気効率が向上する。さらに、万一、排気手段の開閉機能の開閉にトラブルが生じ、これに網の破損が重なったときでも、排気手段からの害虫の侵入は暖冷気分離用カーテン上でストップされ、グリーンハウス内への害虫の侵入は防止される。
【００１６】
外気導入用ファンはグリーンハウス内に外気を送り込む。外気濾過用フィルターはグリーンハウス内に送り込まれる外気を濾過して、外気中の雑菌が付着した土埃や病害虫を除去する。その材質や形状は外気中の雑菌が付着した土埃や害虫を除去できれば何でもよく、その取り付け位置は外気導入用ファンの吸引側或いは吐出後に分岐するダクト内に適宜選択されてセットされる。該フィルターは清掃や取り替え作業を容易にするためには、外気導入用ファンの吸引側、すなわち、グリーンハウスの外側にセットすることが好ましい。
【００１７】
ダクトは必要に応じて外気導入用ファン後に分岐してグリーンハウス内の地面に接し或いは近在して設けられる。なお、ダクトには外気を吐出する多数の開孔が設けられており、外気をグリーンハウス内に送り込むようになっている。また、それぞれの開孔の大きさや形状または位置は、吐出する外気がグリーンハウス内の暖気を一様に押し上げるようにすることができればよい。例えば、ダクトの断面形状が円形であれば、開孔の位置を、ダクトの中心を通る水平位置よりやや上部に位置するところにして、外気を自然にゆっくりと上向き方向に吐出させることができる。また、該ダクトは、温風吹き込み設備を設置したときの温風吹き込み用として兼用できる。
【００１８】
出入り用暗室は、どのような箇所に設けてもよいが、日陰になる北側壁面に設置するのが好ましい。作業員のグリーンハウスへの出入り口を暗室とすることにより、虫は光に集まる性質があることから、害虫は作業員や物などに付着してハウス内に持ち込まれることはなくなる。なお、暗室には外部からの出入り口とグリーンハウス内への出入り口が付いている。従って、作業員の出入り時に、外気が直接グリーンハウス内へ侵入することはない。また、該暗室には、グリーンハウス内に害虫が持ち込まれないように、入口に近いところに虫忌避ランプを設置したり、ライトラップの如き殺虫機を設けることができる。また、外側の出入り用扉の外側に簾やカーテンなどを設けて、害虫が人や荷物に付着してグリーンハウスに侵入するのを阻止できる。荷物専用の搬出入口についても二重扉としてその間は暗室とすることが好ましい。
【００１９】
水封式排水装置には、例えば、その形状が箱状をなし、その上部付近と底部付近にはそれぞれ開口部が設けられ、排水が底部の開口部に導かれ、上部の開口部から排水されるピット型が挙げられる。そして、そのピット型は地下に埋設されて使用される。埋設に際しては、ピットの上部がグリーンハウスの地面に面合わせして埋設され、グリーンハウスにおける排水はピットの下方の開口部に連結した排水管を通し、該ピットの上方に設けた開口部の排水口から排出される、所謂、水封式となる。従って、グリーンハウスから外部へ通ずる排水経路はピット内の水によって障壁が設けられることになり、排水経路における外部からの病害虫の侵入は困難となり、水中を経由して侵入可能な害虫に対してはピットに殺虫剤を定期的に施用することで侵入を阻止することができる。なお、ピット内に金網などの障壁を設けることによりネズミなどの小動物が侵入することはない。また、排水が一ケ所に集められるので、排水処理が容易になる。また、ピットには蓋がされる。
【００２０】
次に、グリーンハウスの換気方法について説明する。本発明のグリーンハウス内の温度を調節するために行う換気は、グリーンハウス内の温度が植栽に適した温度範囲を越えると、外気導入用ファンを駆動させ、外気濾過用フィルターによって雑菌を含む土埃や害虫が除去された清浄な外気の冷気を、地面に接して或いは近在して設けられたダクトを介して該ハウス内に送り込み、該ハウス内を正圧にする。そして、該ハウス内が正圧に、特に、屋根に取り付けられた排気手段の直下が正圧になることを確かめてから、排気手段を開き暖気を外部へ排出させる。この暖気の排出は該ハウス内の温度が植栽に適した温度範囲に下がるまで続けられ、適温になってから排気手段が閉められ、次いで、外気導入用ファンが停止される。従って、排気手段の開閉時における暖気は、該ハウス内が常に正圧に保たれているので、グリーンハウス内から外に向かう一方通行の流れとなり、この流れに逆らって病害虫は侵入できない。なお、上記の一連の動作は手動または自動で行うことができる。また、温度計や差圧計などの管理計器は適宜必要箇所に設けられる。さらに、外気導入用ファンは排気手段を閉鎖してから一定時間おいて停止させることができる。
【００２１】
【実施例】
次に、実施例を挙げて本発明をさらに具体的に説明する。
本発明のグリーンハウスの一例として、図１に北側の妻側から見た概略的正面図を示す。１はグリーンハウス、２は屋根に設けられた排気手段である天窓、３は天窓に付帯する開閉ダンパー、４は暖冷気分離用カーテン、５は外気導入用ファン（吸気側に外気濾過用フィルターを備えている）、７はグリーンハウスへの出入り用暗室および８は水封式排水装置である。図２は、図１における屋根部分を除いた概略的平面図を示し、６は外気濾過用フィルターおよび９はダクトである。なお、グリーンハウス１は出入り用暗室７が北側壁面に設けられて南北に配置する。
【００２２】
グリーンハウス１の本体は、図示されていないが軽量鋼による駆体とアルミ部材とからなり、該アルミ部材にガラス板や透明な硬質プラスチック板が、嵌合式、ビス、接着剤などにより配設固定され、一部は地面に埋められて密閉されている。排気手段である天窓２は屋根の両傾斜に沿ってそれぞれ設けられたダンパー３，３を有し、そのダンパー３，３の形状は矩形の板状をなし、その長手方向はグリーンハウス１の本体の長手方向に一致させて設けられている。なお、図示されていないが、それぞれのダンパー３，３にはそれを開閉するための手動式や電動式の開閉装置が必要箇所に設けられており、ダンパー３，３を閉めた状態ではグリーンハウス１は密閉状態になる。
【００２３】
そして、天窓２のそれぞれの開口部には害虫侵入阻止用の金網１０がそれぞれセットしてある。暖冷気分離用カーテン４は通気孔が多数設けられた透明な硬質プラスチック板が室内全域に渡って鋼製の横梁に沿って固定されている。外気導入用ファン５はグリーンハウス１の本体の北側に設けられ、その吸気側に濾布で構成された外気濾過用フィルター６が設けられている。そして、その吐出側は途中で分岐する円形のダクト９に接続している。室内における円形のダクト９は地面に近在して設けられ、該ダクト９の面には開孔が多数設けられている。出入り用暗室７はグリーンハウス１の本体の北側面の端に設けられ、外部からの出入り用扉１２とグリーンハウス内への出入り用扉１３が設けられている。
【００２４】
水封式排水装置として上記記載した下部から注入された排水が上部から排水するピットがその上部を地面に合わして埋設されている。なお、図示されていないが、操作盤が外気導入用ファン５のそばに設置されており、温度センサーと差圧計がグリーンハウス１のほぼ中央と天井裏とにそれぞれセットされてあり、操作盤のところで読み取れるようにしてある。また、散水装置も設けられている。
【００２５】
グリーンハウス１の換気は、温度センサーが植栽に適した温度範囲を越えた温度を示すときに、外気導入用ファン５を駆動させ、外気濾過用フィルター６によって雑菌を含む土埃や害虫が除去された清浄な外気の冷気を地面に近在して設けられたダクト９を介して該ハウス１内に送り込む。そして、差圧計によって天井裏が正圧になるのを差圧計で確認してから、開閉装置を働かせ、排気手段を開き暖気を外部へ排出させる。この暖気の排出は該ハウス内の温度が植栽に適した温度範囲に下がるまで続けられる。そして、適温になってから排気手段が閉められ、次いで、時間をおいて外気導入用ファンは停止される。
【００２６】
【発明の効果】
以上説明したように、本発明によれば、開口部を天窓のみとして少なくし、外界の害虫や雑菌が付着した土埃などが、開口部から入り込むことがなく、作業員、農機具およびその他の物品の出入りに伴い、病害虫がそれらに付着して持ち込まれず、また、病害虫を持ち込む小動物の排水溝からの侵入を阻止し、殺菌剤や殺虫剤などの農薬散布をすることなく、農作物が得られる無農薬用グリーンハウスを提供できる。
また、本発明によれば、病害虫が侵入しない無農薬用グリーンハウスの換気方法を提供することができる。
【図面の簡単な説明】
【図１】本発明の南北に建設された無農薬用グリーンハウスの北側の妻側から見た概略的正面図。
【図２】図１における屋根部分を除いた本発明の無農薬用グリーンハウスの概略的平面図。
【符号の説明】
１：無農薬用グリーンハウス
２：屋根に設けられた排気手段（天窓）
３：排気口（天窓）に付帯する開閉ダンパー
４：暖冷気分離用カーテン
５：外気導入用ファン
６：外気濾過用フィルター
７：出入り用暗室
８：水封式排水装置（ピット）
９：ダクト
１０：金網
１１：横梁
１２：外部からの出入り用扉
１３：無農薬用グリーンハウスへの出入り用扉
１４：無農薬用グリーンハウスが位置する方向を示す標識
【図１】
0003631954.tif 000002
【図２】
0003631954.tif 000003